【手続補正書】
【提出日】平成19年7月24日(2007.7.24)
【手続補正１】
【補正対象書類名】明細書
【補正対象項目名】特許請求の範囲
【補正方法】変更
【補正の内容】
【特許請求の範囲】
【請求項１】
式
【化１】
2001131180.tif 000001
〔式中、Ａ環は更に置換基を有していてもよい非芳香族５ないし７員含窒素複素環を、Ｂ環は更に置換基を有していてもよいベンゼン環を、Ｃ環は更に置換基を有していてもよいジヒドロフラン環を、Ｒは水素原子又はアシル基を示す。但し、（１）Ａ環が式−(ＣＨ2)m−Ｎ(Ｒ'')−Ｃ(＝Ｏ)−Ｒ'(式中、Ｒ'は置換基を有していてもよい炭化水素基、置換基を有していてもよいアミノ基又は置換基を有していてもよい複素環基を、Ｒ''は水素原子又は置換基を有していてもよい炭化水素基を、ｍは１ないし４の整数を示す)で表される基で置換された非芳香族５員含窒素複素環であるとき、Ｂ環は更に置換基を有するベンゼン環を、（２）Ａ環がオキソで置換された非芳香族６員含窒素複素環であるとき、Ｂ環は全置換されたベンゼン環を示す。〕で表される化合物又はその塩。
【請求項２】
Ａ環が置換基を有していてもよい炭化水素基で更に置換されていてもよい非芳香族５ないし７員含窒素複素環である請求項１記載の化合物。
【請求項３】
Ａ環が置換基を有していてもよい低級アルキル基で更に置換されていてもよい非芳香族５ないし７員含窒素複素環である請求項１記載の化合物。
【請求項４】
Ａ環が低級アルキル基で更に置換されていてもよい非芳香族５ないし７員含窒素複素環である請求項１記載の化合物。
【請求項５】
Ａ環が低級アルキル基で更に置換されていてもよい非芳香族５員含窒素複素環である請求項１記載の化合物。
【請求項６】
Ｂ環が全置換されたベンゼン環である請求項１記載の化合物。
【請求項７】
式
【化２】
2001131180.tif 000002
〔式中、Ｒ4及びＲ5は同一又は異なってそれぞれ水素原子、ハロゲン原子、ヒドロキシ基、アミノ基、又は酸素原子、窒素原子若しくは硫黄原子を介していてもよく置換基を有していてもよい炭化水素基を、他の記号は請求項１記載と同意義を示す。但し、Ｒ4及びＲ5は両方が同時に水素原子を示さない。〕で表される化合物又はその塩である請求項１記載の化合物。
【請求項８】
Ｒ4及びＲ5が同一又は異なってそれぞれ低級アルキル基又は低級アルコキシ基である請求項７記載の化合物。
【請求項９】
Ｒ4及びＲ5がそれぞれ低級アルキル基である請求項７記載の化合物。
【請求項１０】
式
【化３】
2001131180.tif 000003
〔式中、Ｒ1及びＲ2は同一又は異なってそれぞれ水素原子、エステル化若しくはアミド化されていてもよいカルボキシル基又は置換基を有していてもよい炭化水素基を、Ｒ3は水素原子、置換基を有していてもよい炭化水素基又は置換基を有していてもよいアミノ基を、他の記号は請求項７記載と同意義を示す。〕で表される化合物又はその塩である請求項１記載の化合物。
【請求項１１】
Ｒ1が低級アルキル基で、Ｒ2がハロゲン原子、ヒドロキシまたは置換基を有していてもよい環状アミノ基で置換されていてもよい低級アルキル基で、Ｒ3が水素原子または置換基を有していてもよいフェニル基である請求項１０記載の化合物。
【請求項１２】
Ｒ1が低級アルキル基で、Ｒ2がハロゲン原子、ヒドロキシまたは置換基を有していてもよい環状アミノ基で置換されていてもよい低級アルキル基で、Ｒ3が水素原子または置換基を有していてもよいフェニル基で、Ｒ4及びＲ5がそれぞれ低級アルキル基で、Ａ環が低級アルキル基で更に置換されていてもよい非芳香族５ないし７員含窒素複素環である請求項１０記載の化合物。
【請求項１３】
Ｒ1が低級アルキル基で、Ｒ2がハロゲン原子、ヒドロキシまたは置換基を有していてもよい環状アミノ基で置換されていてもよい低級アルキル基で、Ｒ3が水素原子または置換基を有していてもよいフェニル基で、Ｒ4及びＲ5がそれぞれ低級アルキル基で、Ａ環が低級アルキル基で更に置換されていてもよい非芳香族５員含窒素複素環である請求項１０記載の化合物。
【請求項１４】
1,6,7,8-テトラヒドロ-2,2,4,5-テトラメチル-1-(4-メチルフェニル)-2H-フロ[3,2-e]インドールまたはその塩である請求項１記載の化合物。
【請求項１５】
1,6,7,8-テトラヒドロ-2,4,5-トリメチル-2-[(4-フェニルピペリジノ)メチル]-2H-フロ[3,2-e]インドールまたはその塩である請求項１記載の化合物。
【請求項１６】
1,6,7,8-テトラヒドロ-2,4,5,7,7-ペンタメチル-2-[(4-フェニルピペリジノ)メチル]-2H-フロ[3,2-e]インドールまたはその塩である請求項１記載の化合物。
【請求項１７】
N-(ジフェニルメチル)-1-[(1,6,7,8-テトラヒドロ-2,4,5,7,7-ペンタメチル-2H-フロ[3,2-e]インドール-2-イル)メチル]-4-ピペリジンアミンまたはその塩である請求項１記載の化合物。
【請求項１８】
請求項１記載の化合物のプロドラッグ。
【請求項１９】
式
【化４】
2001131180.tif 000004
〔式中、Ｘは置換基を有していてもよいアリル基を、他の記号は請求項１記載と同意義を示す。〕で表される化合物又はその塩のＢ環上の置換基Ｘとヒドロキシを閉環することを特徴とする請求項１記載の化合物の製造法。
【請求項２０】
式
【化５】
2001131180.tif 000005
〔式中、Ａ環は更に置換基を有していてもよい非芳香族５ないし７員含窒素複素環を、Ｂ環は更に置換基を有していてもよいベンゼン環を、Ｃ環は更に置換基を有していてもよいジヒドロフラン環を、Ｒは水素原子又はアシル基を示す。但し、（１）Ａ環が式−(ＣＨ2)m−Ｎ(Ｒ'')−Ｃ(＝Ｏ)−Ｒ'(式中、Ｒ'は置換基を有していてもよい炭化水素基、置換基を有していてもよいアミノ基又は置換基を有していてもよい複素環基を、Ｒ''は水素原子又は置換基を有していてもよい炭化水素基を、ｍは１ないし４の整数を示す)で表される基で置換された非芳香族５員含窒素複素環であるとき、Ｂ環は置換基を有するベンゼン環を、（２）Ａ環がオキソで置換された非芳香族６員含窒素複素環であるとき、Ｂ環は全置換されたベンゼン環を示す。〕で表される化合物又はその塩又はそのプロドラッグを含有することを特徴とする医薬組成物。
【請求項２１】
脳血管障害、頭部外傷又は神経変性疾患の予防治療剤である請求項２０記載の組成物。
【請求項２２】
神経変性疾患がパーキンソン病又はアルツハイマー病である請求項２１記載の組成物。
【請求項２３】
式
【化６】
2001131180.tif 000006
〔式中、Ａa環は更に置換基を有していてもよい非芳香族５ないし７員含窒素複素環を、Ｂa環は更に置換基を有していてもよいベンゼン環を、Ｃa環は更に置換基を有していてもよいジヒドロフラン環を、Ｒaは水素原子又はアシル基を示す。〕で表される化合物又はその塩又はそのプロドラッグを含有することを特徴とする排尿障害又は尿失禁の予防治療剤。
【請求項２４】
式
【化７】
2001131180.tif 000007
〔式中、Ａa環は更に置換基を有していてもよい非芳香族５ないし７員含窒素複素環を、Ｂa環は更に置換基を有していてもよいベンゼン環を、Ｃa環は更に置換基を有していてもよいジヒドロフラン環を、Ｒaは水素原子又はアシル基を示す。〕で表される化合物又はその塩又はそのプロドラッグを含有することを特徴とする経皮経管冠動脈形成後の再狭窄の予防治療剤。
【請求項２５】
式
【化８】
2001131180.tif 000008
〔式中、Ａa環は更に置換基を有していてもよい非芳香族５ないし７員含窒素複素環を、Ｂa環は更に置換基を有していてもよいベンゼン環を、Ｃa環は更に置換基を有していてもよいジヒドロフラン環を、Ｒaは水素原子又はアシル基を示す。〕で表される化合物又はその塩又はそのプロドラッグを含有することを特徴とする過酸化脂質生成抑制剤。